(57)【要約】【課題】  放送受信端末において利用できるアンテナの数が変化したときに、ユーザが手間をかけることなしに良好な受信状態を得ることのできる放送受信端末を提供すること。【解決手段】  放送受信端末１００Ａには、本体アンテナ１０１、アンテナ切り替え手段１０２、復調手段１０３、再生手段１０４および本体側コネクタ１０９が設けられる。本体側コネクタ１０９は、クレードル側コネクタ１１９との勘合を検知する機構を有しており、この検知結果を示す着脱検知信号を出力する。アンテナ切り替え手段１０２は、本体側コネクタ１０９から出力される着脱検知信号に応じて、放送受信端末１００Ａにクレードル１１０が接続されていない場合には本体アンテナ受信信号を選択し、放送受信端末１００Ａにクレードル１１０が接続されている場合には外部アンテナ受信信号を選択する。【選択図】  図１
2006060419.tif 000002
【特許請求の範囲】
【請求項１】
放送波を受信して本体アンテナ受信信号を出力する本体アンテナと、
外部アンテナが直接的にまたはクレードルを介して間接的に着脱自在に接続され、当該外部アンテナからの受信信号を外部アンテナ受信信号として入力するコネクタと、
前記本体アンテナ受信信号および前記外部アンテナ受信信号の一方を選択して選択受信信号として出力するアンテナ切り替え手段と、
前記選択受信信号を復調して再生信号として出力する復調手段と、
前記再生信号を再生する再生手段とを備え、
前記コネクタは、当該コネクタに外部アンテナが直接的にまたは間接的に接続されたかどうかを検知可能な着脱検知機構を有し、当該検知結果を示す着脱検知信号を出力し、
前記アンテナ切り替え手段は、前記着脱検知信号に基づいて前記本体アンテナ受信信号および前記外部アンテナ受信信号の一方を選択することを特徴とする、放送受信端末。
【請求項２】
前記アンテナ切り替え手段は、前記コネクタに外部アンテナが接続されていないときには前記本体アンテナ受信信号を選択し、前記コネクタに外部アンテナが直接的にまたは間接的に接続されているときには前記外部アンテナ受信信号を選択することを特徴とする、請求項１に記載の放送受信端末。
【請求項３】
前記放送受信端末は、前記本体アンテナ受信信号および前記外部アンテナ受信信号の受信感度を比較する感度比較手段をさらに備え、
前記アンテナ切り替え手段は、前記コネクタに外部アンテナが接続されていないときには前記本体アンテナ受信信号を選択し、前記コネクタに外部アンテナが直接的にまたは間接的に接続されているときには、前記感度比較手段の比較結果に基づいて、前記本体アンテナ受信信号および前記外部アンテナ受信信号のうちの受信感度が良好な方を選択することを特徴とする、請求項１に記載の放送受信端末。
【請求項４】
前記放送受信端末は、前記再生信号のノイズを軽減するノイズ軽減手段をさらに備え、
前記ノイズ軽減手段は、前記着脱検知信号に応じて前記再生信号に施すべきノイズ軽減処理を変化させることを特徴とする、請求項１に記載の放送受信端末。
【請求項５】
前記再生手段は、バックライトを利用する液晶表示手段であり、
前記放送受信端末は、前記液晶表示手段で利用されるバックライトを制御するバックライト制御手段をさらに備え、
前記バックライト制御手段は、前記着脱検知信号に応じてバックライトを制御することを特徴とする、請求項１に記載の放送受信端末。
【請求項６】
前記液晶表示手段は、半透過型液晶ディスプレイまたは微反射型液晶ディスプレイであることを特徴とする、請求項５に記載の放送受信端末。
【発明の詳細な説明】
【技術分野】
【０００１】
本発明は放送受信端末に関し、特にアンテナ切り替え機能を付加した放送受信端末に関する。
【背景技術】
【０００２】
近年、携帯型テレビに限らず、携帯電話等の携帯型機器においてテレビ放送の受信機能を付加したものが普及しつつある。これらの携帯型機器は、屋外での放送受信を想定し、機器自身にアンテナを備える。従来、携帯型機器への搭載を目的とし、多岐の小型アンテナが考案されている。また携帯型機器に複数のアンテナを装備し、より良好な受信状態を得るための試みも数多く成されている（例えば、特許文献１参照）。
【０００３】
しなしながら、これら携帯型機器本体にアンテナを装備した放送受信端末を屋内で使用する場合には、電波が弱く受信状態が悪くなることが多い。このようなことから携帯型テレビ等では、機器本体のアンテナのみならず外部アンテナ端子を備えていることが多い。この外部アンテナ端子には着脱式アンテナや屋内アンテナ線が接続される。
【０００４】
固定受信用テレビの場合であれば、外部アンテナ端子と屋内アンテナ線（Ｆ線）を接続し受信可能な構成とすることも少なくない。一方、一般に携帯型機器は可搬性を鑑み小型であるため、固定受信用テレビやビデオのような据え置き型機器をターゲットとした径の太い屋内アンテナ線を携帯型機器に直接接続することは、大きなコネクタが必要となるため適切ではない。このため、携帯型機器の充電を行うためのクレードルに屋内アンテナ線のコネクタを設け、クレードルを介して携帯型機器と屋内アンテナ線を接続する方法がよく用いられる。
【０００５】
このように従来の携帯型機器には、機器本体のアンテナに加えて、着脱式アンテナを接続可能なものや、クレードルを介して屋内アンテナ線に接続可能なものがある。
【特許文献１】特開平８−３４０４９０号公報
【発明の開示】
【発明が解決しようとする課題】
【０００６】
上記のような携帯型機器では、外部アンテナの着脱やクルードルの着脱に伴い、受信に利用できるアンテナの数が変化する。アンテナの数が変化したときに、その時点で利用可能なアンテナの一つを利用してより良好な受信状態を得ようとすると、ユーザは、アンテナを切り替えつつ、各アンテナを利用したときの受信感度をその都度確認する必要があり、操作に手間がかかるという問題がある。
【０００７】
それゆえに本発明は、利用できるアンテナの数が変化したときに、ユーザが手間をかけることなしに良好な受信状態を得ることのできる放送受信端末を提供することを目的とする。
【課題を解決するための手段】
【０００８】
本発明の放送受信端末は、放送波を受信して本体アンテナ受信信号を出力する本体アンテナ（１０１）と、外部アンテナが直接的にまたはクレードルを介して間接的に着脱自在に接続され、当該外部アンテナからの受信信号を外部アンテナ受信信号として入力するコネクタ（１０９、２０２）と、前記本体アンテナ受信信号および前記外部アンテナ受信信号の一方を選択して選択受信信号として出力するアンテナ切り替え手段（１０２）と、前記選択受信信号を復調して再生信号として出力する復調手段（１０３）と、前記再生信号を再生する再生手段（１０４）とを備え、前記コネクタは、当該コネクタに外部アンテナが直接的にまたは間接的に接続されたかどうかを検知可能な着脱検知機構を有し、当該検知結果を示す着脱検知信号を出力し、前記アンテナ切り替え手段は、前記着脱検知信号に基づいて前記本体アンテナ受信信号および前記外部アンテナ受信信号の一方を選択することを特徴とする。なお、括弧内の参照符号は、本発明の理解を助ける目的で図面との対応関係を示したものであって、本発明の範囲を何ら限定するものではない。
【発明の効果】
【０００９】
本発明の放送受信端末によれば、直接的または間接的なアンテナの着脱を検知してアンテナを自動切り替えできるため、例えば屋外では本体付属のアンテナで受信し、屋内では屋内アンテナ線から受信することが、ユーザによる特別な操作を必要とせずに自動でできるため、屋内外を問わず簡単に良好な受信状態を得ることができる。
【発明を実施するための最良の形態】
【００１０】
以下、本発明の種々の実施形態について、図面を参照して説明する。なお、以下では本発明をテレビ放送受信端末に適用した例について説明するが、本発明はこれに限らず、ラジオ受信端末や通信機など、電波を受信する任意の端末に適用できる。
【００１１】
（第１の実施形態）
図１は、本発明の第１の実施形態に係る放送受信端末の構成を示す機能ブロック図である。図１において、放送受信端末１００Ａは、本体アンテナ１０１、アンテナ切り替え手段１０２、復調手段１０３、再生手段１０４および本体側コネクタ１０９を備えている。放送受信端末１００Ａにはクレードル１１０が着脱自在であり、クレードル１１０は、クレードル側コネクタ１１９を備えている。
【００１２】
クレードル１１０には屋内アンテナ線が接続され、本体側コネクタ１０９とクレードル側コネクタ１１９とを勘合させることによって、屋内アンテナ線を通じて伝送される信号がクレードル１１０を介して放送受信端末１００Ａに外部アンテナ受信信号として供給される。
【００１３】
以下、放送受信端末１００Ａの各部を詳細に説明する。
【００１４】
本体アンテナ１０１は放送波を受信し、受信信号を本体アンテナ受信信号として出力する。
【００１５】
本体側コネクタ１０９は、クレードル側コネクタ１１９との勘合を検知する機構を有しており、この検知結果を示す着脱検知信号を出力する。すなわち、放送受信端末１００Ａにクレードル１１０が装着されていなときには、本体側コネクタ１０９からその旨を示す着脱検知信号が出力され、放送受信端末１００Ａにクレードル１１０が装着されているときには、本体側コネクタ１０９からその旨を示す着脱検知信号が出力される。クレードル側コネクタ１１９との勘合を検知する機構としては、公知の任意の機構を採用することができる。
【００１６】
アンテナ切り替え手段１０２は、本体側コネクタ１０９から出力される着脱検知信号に応じて、本体アンテナ受信信号および外部アンテナ受信信号の一方を選択して、選択受信信号として出力する。具体的には、放送受信端末１００Ａにクレードル１１０が接続されていない場合には本体アンテナ受信信号を選択し、放送受信端末１００Ａにクレードル１１０が接続されている場合には外部アンテナ受信信号を選択する。
【００１７】
復調手段１０３は、アンテナ切り替え手段１０２から出力される選択受信信号を復調し、再生信号を出力する。
【００１８】
再生手段１０４は、復調手段１０３から出力される再生信号を再生する。つまり、再生信号が映像信号である場合は映像を表示し、再生信号が音声信号である場合は音声を出力する。
【００１９】
一般的に、屋内では本体アンテナ１０１による受信よりも屋内アンテナ線による受信の方が感度が良好なため、本体アンテナ受信信号と外部アンテナ受信信号の両方が利用できる場合には、外部アンテナ受信信号を利用する方が好ましい。本実施形態では、放送受信端末１００Ａに対するクレードル１１０の着脱が自動的に検知され、クレードル１１０が放送受信端末１００Ａに接続されたときには外部アンテナ受信信号が自動的に選ばれ、クレードル１１０が放送受信端末１００Ａから離されたときには本体アンテナ受信信号が自動的に選ばれる。よって、クレードル１１０の着脱によって利用できるアンテナの数が変化した場合にも、ユーザが手間をかけることなしに良好な受信状態を得ることができる。
【００２０】
（第２の実施形態）
図２は、本発明の第１の実施形態に係る放送受信端末の構成を示す機能ブロック図である。図２において、放送受信端末１００Ｂは、本体アンテナ１０１、アンテナ切り替え手段１０２、復調手段１０３、再生手段１０４およびアンテナ接合部２０２を備えている。着脱式アンテナ２０１は、アンテナ接合部２０２を接点として放送受信端末１００Ｂに着脱自在である。
【００２１】
以下、放送受信端末１００Ｂの各部を詳細に説明する。ただし、本体アンテナ１０１、アンテナ切り替え手段１０２、復調手段１０３および再生手段１０４については第１の実施形態と同一であるので説明を省略する。
【００２２】
着脱式アンテナ２０１としては、通常のアンテナ（すなわちアンテナ本来の機能だけを備えたアンテナ）だけでなく、アンテナの機能を併せ持ったヘッドホンやイヤホンなどを利用することもできる。
【００２３】
アンテナ接合部２０２は、着脱式アンテナ２０１が装着されているか否かを検知する機構を有しており、この検知結果を示す着脱検知信号を出力する。すなわち、放送受信端末１００Ｂに着脱式アンテナ２０１が装着されていなときには、アンテナ接合部２０２からその旨を示す着脱検知信号が出力され、放送受信端末１００Ｂに着脱式アンテナ２０１が装着されているときには、アンテナ接合部２０２からその旨を示す着脱検知信号が出力される。着脱式アンテナ２０１が装着されているか否かを検知する機構としては、公知の任意の機構を採用することができる。
【００２４】
以上のように、第２の実施形態では、放送受信端末１００Ｂに対する着脱式アンテナ２０１の着脱が自動的に検知され、着脱式アンテナ２０１が放送受信端末１００Ｂに接続されたときには外部アンテナ受信信号が自動的に選ばれ、着脱式アンテナ２０１が放送受信端末１００Ｂから離されたときには本体アンテナ受信信号が自動的に選ばれる。よって、着脱式アンテナ２０１の着脱によって利用できるアンテナの数が変化した場合にも、ユーザが手間をかけることなしに良好な受信状態を得ることができる。
【００２５】
（第３の実施形態）
図３は、本発明の第３の実施形態に係る放送受信端末の構成を示す機能ブロック図である。図３において、放送受信端末１００Ｃは、本体アンテナ１０１、アンテナ切り替え手段１０２、復調手段１０３、再生手段１０４、感度比較手段１０５および本体側コネクタ１０９を備えている。放送受信端末１００Ｃにはクレードル１１０が着脱自在であり、クレードル１１０は、クレードル側コネクタ１１９を備えている。
【００２６】
以下、放送受信端末１００Ｃの各部を詳細に説明する。ただし、本実施形態が第１の実施形態と異なる点は、感度比較手段１０５をさらに備えた点のみである。よって、ここでは感度比較手段１０５以外の構成要素についての説明は省略する。
【００２７】
感度比較手段１０５は、本体側コネクタ１０９から出力される着脱検知信号、本体アンテナ受信信号および外部アンテナ受信信号を監視し、これらの信号に基づいて、アンテナ切り替え手段１０２を制御するための切り替え信号を出力する。具体的には、本体側コネクタ１０９とクレードル側コネクタ１１９とが勘合していないとき（すなわち放送受信端末１００Ｃにクレードル１１０が装着されていないとき）には、アンテナ切り替え手段１０２に本体アンテナ受信信号を選択させるような切り替え信号を出力する。また、本体側コネクタ１０９とクレードル側コネクタ１１９とが勘合されているとき（すなわち放送受信端末１００Ｃにクレードル１１０が装着されているとき）には、本体アンテナ受信信号と外部アンテナ受信信号の感度を比較し、これらのうち感度の良好な方をアンテナ切り替え手段１０２に選択させるような切り替え信号を出力する。
【００２８】
上述したように、一般的には、屋内では本体アンテナ１０１による受信よりも屋内アンテナ線による受信の方が感度が良好であるが、屋内アンテナ線の状態や受信地域などによっては、必ずしもそうとは限らない。本実施形態では、放送受信端末１００Ｃにクレードル１１０が接続されているときには、本体アンテナ１０１からの本体アンテナ受信信号とクレードル１１０からの外部アンテナ受信信号のうち、感度の良好な方が自動的に選択されて復調される。よって、放送受信端末１００Ｃにクレードル１１０が接続されているときに、第１の実施形態の放送受信端末１００Ａよりも良好な受信状態を得られる可能性がある。
【００２９】
なお、変形例として、図３の本体側コネクタ１０９の代わりに、図２のアンテナ接合部２０２を設けても良い。この場合、感度比較手段１０５は、アンテナ接合部２０２から出力される着脱検知信号、本体アンテナ受信信号および外部アンテナ受信信号を監視し、これらの信号に基づいて、アンテナ切り替え手段１０２を制御するための切り替え信号を出力する。具体的には、アンテナ接合部２０２に着脱式アンテナが装着されていないときには、アンテナ切り替え手段１０２に本体アンテナ受信信号を選択させるような切り替え信号を出力する。また、アンテナ接合部２０２に着脱式アンテナが装着されているときには、本体アンテナ受信信号と外部アンテナ受信信号の感度を比較し、これらのうち感度の良好な方をアンテナ切り替え手段１０２に選択させるような切り替え信号を出力する。
【００３０】
なお、上記変形例では本体アンテナが１つであり、アンテナ接合部が１つである場合について説明したが、本発明はこれに限らない。例えば、放送受信端末に複数のアンテナ接合部を設け、複数の着脱式アンテナを同時に接続できるようにしてもよい。この場合、感度比較手段は、複数のアンテナ接合部からそれぞれ出力される着脱検知信号を監視し、放送受信端末に着脱式アンテナが接続されていない場合にはアンテナ切り替え手段に本体アンテナ受信信号を選択させ、放送受信端末に１個以上の着脱式アンテナが接続されている場合には、これらの着脱式アンテナからの外部アンテナ受信信号と本体アンテナ受信信号のうち、最も受信感度の良好なものをアンテナ切り替え手段に選択させる。
【００３１】
（第４の実施形態）
図４は、本発明の第４の実施形態に係る放送受信端末の構成を示す機能ブロック図である。図４において、放送受信端末１００Ｄは、本体アンテナ１０１、アンテナ切り替え手段１０２、復調手段１０３、ノイズ軽減手段１０６、再生手段１０４および本体側コネクタ１０９を備える。放送受信端末１００Ｄにはクレードル１１０が着脱自在であり、クレードル１１０は、クレードル側コネクタ１１９を備えている。
【００３２】
以下、放送受信端末１００Ｄの各部を詳細に説明する。ただし、放送受信端末１００Ｄは、図１の放送受信端末１００Ａに対してノイズ軽減手段１０６を追加した構成であるため、ここではノイズ軽減手段１０６以外の構成要素の説明を省略する。
【００３３】
ノイズ軽減手段１０６は、復調手段１０３から出力される再生信号に対してノイズ軽減処理を施し、ノイズ軽減再生信号として出力する。ノイズ軽減手段１０６において軽減するノイズの種類やノイズ軽減手法は任意である。例えば、ノイズ軽減手段１０６が、希望受信波がマルチパスを経て受信されることによって生じるゴーストを除去するものであってもよい。ノイズ軽減手段１０６は、本体側コネクタ１０９から出力される着脱検知信号に基づいて、本体側コネクタ１０９とクレードル側コネクタ１１９とが勘合していないとき（すなわちアンテナ切り替え手段１０２が本体アンテナ受信信号を選択しているとき）だけノイズ軽減処理を行い、本体側コネクタ１０９とクレードル側コネクタ１１９とが勘合しているとき（すなわちアンテナ切り替え手段１０２が外部アンテナ受信信号を選択しているとき）にはノイズ軽減処理を行わない。
【００３４】
一般に、屋外での受信では本体アンテナ１０１を利用して放送波を受信することになり、屋内アンテナ線経由での受信と比較してマルチパス等によるノイズの影響を受けやすい。本実施形態では、本体アンテナ１０１からの本体アンテナ受信信号を復調して再生する際に、ノイズ軽減手段１０６が自動的にノイズ軽減動作を行うので、ユーザが手間をかけることなしに再生品質を向上することができる。
【００３５】
なお、本実施形態では、本体側コネクタ１０９からの着脱検知信号に応じて、ノイズ軽減手段１０６におけるノイズ軽減処理を有効または無効としたが、本発明はこれに限定されない。例えば、本体側コネクタ１０９からの着脱検知信号に応じて、ノイズ軽減手段１０６におけるノイズ軽減効果の度合いを変化させたり、ノイズ軽減処理手法を変化させたりしてもよい。
【００３６】
また、本実施形態の構成に図３の感度比較手段１０５を追加してもよい。この場合、ノイズ軽減手段１０６は、本体側コネクタ１０９からの着脱検知信号または感度比較手段１０５からの切り替え信号に応じて、復調手段１０３からの再生信号に施すべきノイズ軽減処理を変化させる。
【００３７】
また、図４の本体側コネクタ１０９の代わりに、図２のアンテナ接合部２０２を設けても良い。
【００３８】
（第５の実施形態）
図５は、本発明の第５の実施形態に係る放送受信端末の構成を示す機能ブロック図である。図５において、放送受信端末１００Ｅは、本体アンテナ１０１、アンテナ切り替え手段１０２、復調手段１０３、液晶表示手段１０８、バックライト制御手段１０７および本体側コネクタ１０９を備える。放送受信端末１００Ｅにはクレードル１１０が着脱自在であり、クレードル１１０は、クレードル側コネクタ１１９を備えている。
【００３９】
以下、放送受信端末１００Ｅの各部を詳細に説明する。ただし、放送受信端末１００Ｅは、図１の放送受信端末１００Ａにおいて、再生手段１０４として特に液晶表示手段１０８を設け、さらにバックライト制御手段１０７を追加した構成である。よって、ここでは液晶表示手段１０８とバックライト制御手段１０７以外の構成要素の説明を省略する。
【００４０】
液晶表示手段１０８は、復調手段１０３から出力される再生信号を表示する液晶ディスプレイであって、特に、透過型液晶ディスプレイと反射型液晶ディスプレイの特長を併せ持った半透過型液晶ディスプレイ、もしくは微反射型液晶ディスプレイである。
【００４１】
バックライト制御手段１０７は、本体側コネクタ１０９から出力される着脱検知信号に基づいて、液晶表示手段１０８で利用されるバックライトの輝度を制御する。具体的には、バックライト制御手段１０７は、本体側コネクタ１０９から出力される着脱検知信号に基づいて、本体側コネクタ１０９とクレードル側コネクタ１１９とが勘合しているとき（すなわちアンテナ切り替え手段１０２が外部アンテナ受信信号を選択しているとき）にはバックライトを点灯し、本体側コネクタ１０９とクレードル側コネクタ１１９とが勘合していないとき（すなわちアンテナ切り替え手段１０２が本体アンテナ受信信号を選択しているとき）にはバックライトを消灯する。
【００４２】
一般に、表示手段として半透過型もしくは微反射型の液晶ディスプレイを利用する場合には、屋内ではバックライトを点灯した方が視認性が向上し、屋外ではバックライトを消灯した方が視認性が向上する。本実施形態では、本体側コネクタ１０９とクレードル側コネクタ１１９とが勘合していないとき（すなわち放送受信端末１００Ｅが屋外で使用されていると想定される場合）にはバックライト制御手段１０７がバックライトを消灯し、本体側コネクタ１０９とクレードル側コネクタ１１９とが勘合しているとき（すなわち放送受信端末１００Ｅが屋内で使用されていると想定されるとき）にはバックライト制御手段１０７がバックライトを消灯するので、ユーザが手間をかけることなしに視認性を向上することができる。
【００４３】
なお、本実施形態では、本体側コネクタ１０９からの着脱検知信号に応じて、バックライト制御手段１０７がバックライトを点灯または消灯するとしたが、本発明はこれに限定されない。例えば、本体側コネクタ１０９からの着脱検知信号に応じて、バックライト制御手段１０７がバックライトの輝度を変化させてもよい。
【００４４】
また、本実施形態では、液晶表示手段１０８として半透過型液晶ディスプレイ、もしくは微反射型液晶ディスプレイを利用するとしたが、本発明はこれに限らず、例えば液晶表示手段１０８として透過型液晶ディスプレイを利用してもよい。一般的に、クレードルは端末への電力供給機能を備えているため、この場合、例えば、本体側コネクタ１０９とクレードル側コネクタ１１９とが勘合しているとき（すなわち放送受信端末１００Ｅがクレードル１１０からの電力を利用できるとき）にはバックライト制御手段１０７がバックライトを最大パワーで点灯させ、本体側コネクタ１０９とクレードル側コネクタ１１９とが勘合しているとき（すなわち放送受信端末１００Ｅが内部バッテリーからの電力しか利用できないとき）にはバックライト制御手段１０７がバックライトの輝度を低減する。これにより、ユーザが手間をかけることなしに内部バッテリーの消耗を抑えることができる。
【００４５】
また、本実施形態の構成に図３の感度比較手段１０５を追加してもよい。この場合、バックライト制御手段１０７は、本体側コネクタ１０９からの着脱検知信号または感度比較手段１０５からの切り替え信号に応じてバックライトを制御する。
【００４６】
また、図５の本体側コネクタ１０９の代わりに、図２のアンテナ接合部２０２を設けても良い。
【００４７】
また、本実施形態の構成に図４のノイズ軽減手段１０６を追加してもよい。
【産業上の利用可能性】
【００４８】
本発明によれば外部アンテナの着脱によってアンテナが自動的に切り替わり、屋内外を問わず簡単に良好な受信状態を得ることができるため、本発明は、例えば屋外および屋内の両方で使用される携帯型のテレビ放送受信端末に好適である。
【図面の簡単な説明】
【００４９】
【図１】本発明の第１の実施形態に係る放送受信端末の構成を示す機能ブロック図
【図２】本発明の第２の実施形態に係る放送受信端末の構成を示す機能ブロック図
【図３】本発明の第３の実施形態に係る放送受信端末の構成を示す機能ブロック図
【図４】本発明の第４の実施形態に係る放送受信端末の構成を示す機能ブロック図
【図５】本発明の第５の実施形態に係る放送受信端末の構成を示す機能ブロック図
【符号の説明】
【００５０】
１００Ａ〜１００Ｅ  放送受信端末
１０１  本体アンテナ
１０２  アンテナ切り替え手段
１０３  復調手段
１０４  再生手段
１０５  感度比較手段
１０６  ノイズ軽減手段
１０７  バックライト制御手段
１０８  液晶表示手段
１０９  本体側コネクタ
１１０  クレードル
１１９  クレードル側コネクタ
２０１  着脱式アンテナ
２０２  アンテナ接合部
【図１】
2006060419.tif 000003
【図２】
2006060419.tif 000004
【図３】
2006060419.tif 000005
【図４】
2006060419.tif 000006
【図５】
2006060419.tif 000007